(57)【要約】【課題】挿入した移送先端に、穿孔されたラミネートフィルムの断縁が密着することなく、溶液の移送を円滑に実行可能な密閉容器の開封方法を提供する。【解決手段】液体を移送する移送先端２０を備えるとともに、ラミネートフィルム６０で開口部が密閉された密閉容器５０が装着され、前記密閉容器５０に前記移送先端２０が挿入されて液体５５が移送される装置１０における、密閉容器５０の開封方法であって、前記ラミネートフィルム６０を押し延ばして前記ラミネートフィルム６０を非可逆的に変形させる変形工程と、前記非可逆的な変形を被った前記ラミネートフィルム６０に前記移送先端２０を穿刺する穿刺工程と、を有し、前記穿刺工程においては、前記ラミネートフィルム６０において前記非可逆的な変形を被った範囲である押し延ばし範囲６２に、前記移送先端２０が穿刺されている範囲である穿刺範囲６４の少なくとも一部が包含されている。【選択図】図６
2019191054.tif 000002
【特許請求の範囲】
【請求項１】
液体を移送する移送先端を備えるとともに、ラミネートフィルムで開口部が密閉された密閉容器が装着され、前記密閉容器に前記移送先端が挿入されて液体が移送される液体移送装置における、密閉容器の開封方法であって、
前記ラミネートフィルムを押し延ばして前記ラミネートフィルムを非可逆的に変形させる変形工程と、
前記非可逆的な変形を被った前記ラミネートフィルムに前記移送先端を穿刺する穿刺工程と、を有し、
前記穿刺工程においては、前記ラミネートフィルムにおいて前記非可逆的な変形を被った範囲である押し延ばし範囲に、前記移送先端が穿刺されている範囲である穿刺範囲の少なくとも一部が包含されていることを特徴とする、密閉容器の開封方法。
【請求項２】
前記変形工程は、前記移送先端によって実行されることを特徴とする、請求項１記載の密閉容器の開封方法。
【請求項３】
前記変形工程は、前記移送先端とは別に設けられた押圧部材によって実行されることを特徴とする、請求項１記載の密閉容器の開封方法。
【請求項４】
前記変形工程の前、後又は同時に、前記ラミネートフィルムに仮孔を穿刺する仮穿刺工程を有することを特徴とする、請求項１から３までのいずれか１項に記載の密閉容器の開封方法。
【請求項５】
液体を移送する移送先端を備え、
ラミネートフィルムで開口部が密閉された密閉容器が装着され、
前記密閉容器に前記移送先端が挿入されて液体が移送され、
前記密閉容器の開封に先立ち、前記ラミネートフィルムを押圧して押し延ばす押圧手段を備えることを特徴とする液体移送装置。
【請求項６】
前記移送先端の先端部分が前記押圧手段となることを特徴とする請求項５記載の液体移送装置。
【請求項７】
前記押圧手段として、前記移送先端とは別の押圧部材が設けられていることを特徴とする請求項５記載の液体移送装置。
【請求項８】
前記押圧手段の先端に、前記ラミネートフィルムに仮孔を穿刺する仮穿刺部材が設けられていることを特徴とする請求項５から７までのいずれか１項に記載の液体移送装置。
【発明の詳細な説明】
【技術分野】
【０００１】
本発明は、ラミネートフィルムで密閉された密閉容器の開封方法及び液体移送装置に関する。
【背景技術】
【０００２】
臨床検査分野などにおいては、必要な試薬類が複数種類、それぞれ別のウェルに収容されている試薬パックを、測定キットとして測定装置に装着した上で所望の測定を行う、ということが行われている。その試薬パックの各ウェルの開口部は、分注されている試薬が酸化などで変質するのを防ぐために、ラミネートフィルムで密閉されている。このラミネートフィルムは、不必要に破れたりしないよう、延伸性の高い材質が使用されていることがある。
【０００３】
たとえば、下記特許文献１には、手切れ性に優れて、かつ耐熱性、ヒートシール特性のバランスを兼ね備えたポリエチレン系のフィルムが開示されている。同フィルムは、たとえば、カレー、シチュー及びおでん等のレトルト食品類、ジュース及びコーヒー等飲料類、スナック菓子類、洋和菓子類、調味料類並びに粉末又は顆粒状医薬品等の薬包紙等の軟包装材料等に好ましく使用することができる。
【０００４】
また、下記特許文献２には、ポリオレフィンの力学的強度等を有しつつ、ＴＤ（ｔｒａｖｅｒｓｅ  ｄｉｒｅｃｔｉｏｎ）にのみ、易裂性に優れ引裂抵抗が小さい易裂性多層インフレーションフィルムを提供するために、非晶性ポリアミド（ａ）を７０重量％以上含有する非晶性ポリアミド層（Ａ）と、所定密度を有するオレフィン系樹脂（ｂ）を含むポリオレフィン層（Ｂ）とが、層（Ｂ）／層（Ａ）／層（Ｂ）の順で積層され、層（Ａ）の厚みが、特定範囲である易裂性多層インフレーションフィルムが開示されている。
【０００５】
各ウェルにおいては、測定装置が備えるノズルにより、液体の検体が注入されて収容されている試薬との混合に供される。また、収容されている試薬が、ノズルにより吸引され別のウェルへ移送されて注入されることもある。さらには、ウェルの中で検体と混合された後の試薬が、ノズルにより吸引され別のウェルへ移送されて注入されることもある。なお、ウェルへの液体の注入又は吸引の際には、ノズルの先端にピペットチップが装着されることがある。
【０００６】
このようなノズルを用いた液体の注入又は吸引の際には、ノズルの先端又はノズルに装着されたピペットチップの先端が、ウェルを密閉するラミネートフィルムを穿孔し、そのウェルの中に挿入される。たとえば、下記特許文献３には、封止シールを穿孔して開封するための尖頭部を設けた分注ノズルを備えた自動分析装置が開示されている。
【先行技術文献】
【特許文献】
【０００７】
【特許文献１】ＷＯ  ２０１４／１８１６９６  Ａ１
【特許文献２】ＷＯ  ２０１３／１２１６２２  Ａ１
【特許文献３】特開２０１８−４２７０号公報
【発明の概要】
【発明が解決しようとする課題】
【０００８】
上記したような試薬パックのような密閉容器において、ラミネートフィルムを、ノズル又はピペットチップのような液体の移送先端で穿孔する際、ラミネートフィルムの延伸性により、ウェル内に挿入された移送先端にラミネートフィルムの断縁が密着してしまうことがあった。ラミネートフィルムの断縁が移送先端に密着すると、ウェルの内部と外部との空気の流通が遮断された状態となり、結局ウェルが密封された状態のままとなる。この状態では、移送先端によるウェルからの溶液の吸引及びウェルへの溶液の注入が円滑に行えないばかりか、溶液の噴出による測定装置の汚染も引き起こされるおそれもある。
【０００９】
これに対して、ウェル内に挿入される移送先端よりも十分に大きな孔を空ける方法もある。しかし、測定装置や試薬パックのような密閉容器を小型化するという設計上の要請から、移送先端の駆動範囲が制限されていたり、また、試薬が封入されているウェルの開口部が小さすぎて十分に大きな孔をあけることができない場合もある。
【００１０】
上記の問題点に鑑み、本発明の実施態様は、挿入した移送先端に、穿孔されたラミネートフィルムの断縁が密着することなく、溶液の移送を円滑に実行可能な密閉容器の開封方法及びそれを可能とする液体移送装置を提供することを課題とする。
【課題を解決するための手段】
【００１１】
本開示における密閉容器の開封方法は、液体を移送する移送先端を備えるとともに、ラミネートフィルムで開口部が密閉された密閉容器が装着され、前記密閉容器に前記移送先端が挿入されて液体が移送される液体移送装置における、密閉容器の開封方法であって、
前記ラミネートフィルムを押し延ばして前記ラミネートフィルムを非可逆的に変形させる変形工程と、
前記非可逆的な変形を被った前記ラミネートフィルムに前記移送先端を穿刺する穿刺工程と、を有し、
前記穿刺工程においては、前記ラミネートフィルムにおいて前記非可逆的な変形を被った範囲である押し延ばし範囲に、前記移送先端が穿刺されている範囲である穿刺範囲の少なくとも一部が包含されている。
【００１２】
本開示における液体移送装置は、液体を移送する移送先端を備え、
ラミネートフィルムで開口部が密閉された密閉容器が装着され、
前記密閉容器に前記移送先端が挿入されて液体が移送され、
前記密閉容器の開封に先立ち、前記ラミネートフィルムを押圧して押し延ばす押圧手段を備える。
【発明の効果】
【００１３】
本実施態様の密閉容器の開封方法によれば、十分な大きさの開口部を設けることのできない密閉容器であったとしても、密閉容器に挿入した移送先端に、穿孔されたラミネートフィルムの断縁が密着することなく、溶液の移送を円滑に実行することが可能となる。
【図面の簡単な説明】
【００１４】
【図１】本発明の各態様における液体移送装置及び密閉容器を模式的に示す。
【図２】本発明の各態様における液体移送装置のブロック図である。
【図３】本発明の別の態様における液体移送装置のブロック図である。
【図４】本発明の各態様における密閉容器を模式的に示す。
【図５】第１の態様における変形工程前の密閉容器を模式的に示す。
【図６】第１の態様における変形工程中の密閉容器を模式的に示す。
【図７】第１の態様における変形工程後の密閉容器を模式的に示す。
【図８】第１の態様における穿刺工程中の密閉容器を模式的に示す。
【図９】第１の態様において押し延ばし範囲と穿刺範囲との位置関係を模式的に示す。
【図１０】第１の態様において押し延ばし範囲と穿刺範囲との別の位置関係を模式的に示す。
【図１１】第２の態様における変形工程中の密閉容器を模式的に示す。
【図１２】第２の態様における変形工程の別の例を模式的に示す。
【図１３】第２の態様における変形工程の別の例を模式的に示す。
【図１４】第２の態様における変形工程の別の例を模式的に示す。
【図１５】第２の態様における変形工程の別の例を模式的に示す。
【図１６】第３の態様における押圧部材の例を模式的に示す。
【図１７】第３の態様における押圧部材の例を模式的に示す。
【図１８】第３の態様における押圧部材の例を模式的に示す。
【図１９】第３の態様における押圧部材の例を模式的に示す。
【図２０】第４の態様における変形工程後の仮穿刺工程を模式的に示す。
【図２１】第４の態様における変形工程後の仮穿刺工程を模式的に示す。
【図２２】第４の態様における変形工程前の仮穿刺工程を模式的に示す。
【図２３】第４の態様においてあらかじめ仮孔が設けられている例を模式的に示す。
【図２４】第４の態様における変形工程と同時の仮穿刺工程を模式的に示す。
【図２５】図２４のノズルの正面図である。
【図２６】図２４のノズルの斜視図である。
【図２７】ノズルに装着されるピペットチップの正面図である。
【図２８】実施例及び比較例における変形工程の有無の効果をグラフにて示す。
【発明を実施するための形態】
【００１５】
以下、本発明の各態様を、適宜図面を参照しつつ説明する。
【００１６】
以下に示す各態様においては、図１に模式的に示す密閉容器５０と、この密閉容器５０が内部に装着される液体移送装置１０とにより、所定の測定が行われる。
【００１７】
この液体移送装置１０は、図２のブロック図に示すように、液体移送装置１０における測定に係る制御全般を司る制御手段１５を備える。この制御手段１５とは、たとえば、液体移送装置１０に内蔵されるマイクロコンピュータのＣＰＵが、所定の制御プログラムを実行することで実現される。この制御手段１５が、後述する移送先端２０及び押圧部材３０の動作も制御する。ここで、液体移送装置１０に、これら移送先端２０及び押圧部材とは別に後述する仮穿刺部材４０も設けられる場合には、図３のブロック図に示すように、制御手段１５はこの仮穿刺部材４０の動作も制御する。なお、本発明の各態様で言及する液体移送装置１０には実際にはこの他にも様々な機構（たとえば、発光機構、受光機構、電圧印加機構、温度制御機構、表示機構、扉開閉機構等）を備えており、制御手段１５はこれらの機構も制御するが、図２及び図３ではその図示を省略し、以下ではそれら機構についての言及は割愛する。
【００１８】
密閉容器５０は、試薬パックとして形成されており、図４の斜視図に示すように、液体移送装置１０の内部において水平にセットされる天板５１Ａと、この天板５１Ａの左右両端から下方へ延設される側板５１Ｂとから成る枠体５１を備える。これら天板５１Ａ及び側板５１Ｂにより、枠体５１は、正面視及び背面視で逆Ｕ字型を呈する。
【００１９】
天板５１Ａには、上方に開口したウェル５２が複数設けられている。各ウェル５２のうちには、その中に測定用の試薬を収容するものや、その中に測定に供される検体が注入されるものや、その中で検体と試薬とが混合されるものがある。また、各ウェル５２のうち、所定の測定が行われるのが、測定ウェル５２Ａである。各ウェル５２の間では、液体移送装置１０が備える、後述する移送先端２０を用いて試薬や検体としての液体の分注や移動などが行われる。また、各ウェル５２の開口部はラミネートフィルム６０にて密閉されている。
【００２０】
（１）第１の態様
本開示における密閉容器の開封方法の第１の態様は、前述のように、液体を移送する移送先端を備えるとともに、ラミネートフィルムで開口部が密閉された密閉容器が装着され、前記密閉容器に前記移送先端が挿入されて液体が移送される液体移送装置における、密閉容器の開封方法であって、前記ラミネートフィルムを押し延ばして前記ラミネートフィルムを非可逆的に変形させる変形工程と、前記非可逆的な変形を被った前記ラミネートフィルムに前記移送先端を穿刺する穿刺工程と、を有し、前記穿刺工程においては、前記ラミネートフィルムにおいて前記非可逆的な変形を被った範囲である押し延ばし範囲に、前記移送先端が穿刺されている範囲である穿刺範囲の少なくとも一部が包含されている。
【００２１】
換言すると、前記液体移送装置は、液体を移送する移送先端を備え、ラミネートフィルムで開口部が密閉された密閉容器が装着され、前記密閉容器に前記移送先端が挿入されて液体が移送され、前記密閉容器の開封に先立ち、前記ラミネートフィルムを押圧して押し延ばす押圧手段を備える。
【００２２】
本態様における密閉容器とは、その開口部がラミネートフィルムで密閉されている容器である。この密閉容器には、内部に試薬を含まれていたり、又は内部が空洞であって開封後にその中に試薬を含ませたりすることを目的に製造された、いわゆる試薬パックが含まれる。
【００２３】
本態様における液体の移送とは、液体を密閉容器へ注入すること、及び、密閉容器から液体を吸引することの両方を含む概念である。なお、ここでいう液体とは、液体の性状を有する試薬、粉末又は固形状の試薬が溶解した溶液、液体の性状を呈する検体、及びこれらの混合物のいずれをも指す。
【００２４】
また、本態様における移送先端とは、たとえば、密閉容器に対し液体を移送するノズルをいい、また、このノズルの先端に装着されたピペットチップのような別部材が実際には密閉容器に挿入される場合にはそのような別部材をいう。
【００２５】
本態様では、ラミネートフィルムに移送先端を挿入する穿刺工程の前に、変形工程において、ラミネートフィルムに移送先端が接触する部分を含んだ領域を押し延ばす。これにより、ラミネートフィルムは移送先端を挿入する前に、予め、非可逆的に延ばされた状態になる。そのため、押し延ばされる前のラミネートフィルムと比較して、押し伸ばされたラミネートフィルムは延伸性が低減した状態となる。そして、延伸性が低減した状態のラミネートフィルムに移送先端を挿入するため、ラミネートフィルムの断縁が移送先端の形状に追従しなくなり、ラミネートフィルムの断縁が移送先端に密着することを回避することができる。
【００２６】
また、延伸性が低減した状態のラミネートフィルムに移送先端を挿入してさらに応力を加えることから、移送先端を挿入する部分から延伸性が低減した部分にかけて破断が生じ、ラミネートフィルムの断縁と移送先端との間に隙間が生じ、ラミネートフィルムの断縁が挿入された移送先端に密着することを回避することができる。その結果、移送先端による溶液の移送を円滑に行うことができる。
【００２７】
ここで、穿刺工程においてラミネートフィルムに非可逆的な変形をもたらす押し延ばし範囲については、移送先端をラミネートフィルムに穿刺するときに、移送先端がラミネートフィルムと接触する範囲である穿刺範囲を包含することが望ましい。ただし、押し延ばし範囲は、穿刺範囲の全部ではなくとも、その一部が穿刺範囲に包含されていればよい。すなわち、穿刺範囲は押し延ばし範囲からはみ出ていても構わないが、少なくともその一部は押し延ばし範囲と重複している必要がある。また、穿刺範囲と押し延ばし範囲とは完全一致せず、穿刺範囲ではない押し延ばし範囲が必ず存在する。
【００２８】
ここで、押し延ばし範囲は、押し延ばしに用いる部材（たとえば、ノズル）が実際にラミネートフィルムに接触している部分には限られず、実際に接触している部分が押し延ばされることに付随して押し延ばされる周辺部分も含まれる。このような押し延ばし範囲においては、ラミネートフィルムが非可逆的な変形を被った結果、元の状態には戻らない。
【００２９】
本態様を模式的に示した図５〜図１０を参照しつつ、本態様を説明する。
【００３０】
図５は、試薬としての液体５５が封入された密閉容器５０のウェル５２を模式的に断面図として示すものである。密閉容器５０のウェル５２は、前述のようにラミネートフィルム６０にて密閉されている。
【００３１】
図５に示す状態から、前記制御手段１５（図２参照）により、図６に示すように、液体移送装置１０が備える押圧手段としての押圧部材３０が、ラミネートフィルム６０を押圧して押し延ばす変形工程を実施するように制御される。このとき、押圧部材３０の先端である接触面３３がラミネートフィルム６０に接触している範囲が、接触範囲６１である。
【００３２】
図６に示す状態から、再び前記制御手段１５により押圧部材３０が上方へ退却するよう制御されて変形工程が終了すると、図７に示すように、ラミネートフィルム６０は非可逆的な変形を被り下方へ陥凹した状態となる。このとき、前記接触面３３が実際にラミネートフィルム６０に接触していた接触範囲６１の周辺部分も、非可逆的に押し延ばされ変形を被った状態となっている。このように押し延ばされた部分の全体が、押し延ばし範囲６２である。
【００３３】
この押し延ばし範囲６２に、前記制御手段１５により、図８に示すように、移送先端２０としてのノズル２１の先端に装着されたピペットチップ２２の先端が押し延ばし範囲６２を穿刺する穿刺工程を実施するように制御されると、穿刺された箇所が穿刺範囲６４となり、ラミネートフィルム６０のこの部分が穿孔する。このとき、ラミネートフィルム６０は押し延ばし範囲６２において延伸性を喪失しているため、ラミネートフィルム６０の断縁６５は移送先端２０に密着することなく、密閉容器５０の内外が穿刺範囲６４により連絡する。この状態で、移送先端２０による液体５５の移送が円滑に実施される。
【００３４】
この状態を平面視で示したのが図９である。この図９に示すように、密閉容器５０の上面を覆うラミネートフィルム６０に押し延ばし範囲６２が形成され、穿刺範囲６４はその前端が押し延ばし範囲６２に包含されている。
【００３５】
なお、穿刺範囲６４は、図１０に示すように、押し延ばし範囲６２から一部が外れた位置に来るようにしてもよい。この状態では、穿刺範囲６４の少なくとも一部は押し延ばし範囲６２に包含されている。また、押し延ばし範囲６２の大部分は、穿刺範囲６４ではない領域である。
【００３６】
（２）第２の態様
本開示における密閉容器の開封方法の第２の態様は、前記第１の態様の構成に加え、前記変形工程は、前記移送先端によって実行される。
【００３７】
換言すると、前記移送先端の先端部分が前記押圧手段となる。
【００３８】
たとえば、移送先端として、液体とは直に触れないノズルの先端にピペットチップを装着してこれが液体と接触するようなものを使用する場合、ピペットチップを装着する前のノズルでラミネートフィルムを押し延ばして変形工程を実行してもよい。そして、その後ノズルにピペットチップを装着してから、このピペットチップの先端で穿刺工程が実行される。この場合、変形工程を実行する、ピペットチップ装着前のノズルがラミネートフィルムと接触する部分の面積は、ピペットチップがラミネートフィルムと接触する部分の面積より大きい必要がある。なお、移送先端の先端部分の形状は、変形工程でラミネートフィルムに穿孔しないよう、ラミネートフィルムとの接触面が鋭利ではない形状とすることが望ましい。
【００３９】
本態様においては、前記第１の態様の図６で説明した、押圧部材３０の代わりに、図１１に示すように、前記押圧手段としての、移送先端２０を構成するノズル２１の先端で同様にラミネートフィルム６０が押し延ばされる。換言すると、前記図２において、移送先端２０が押圧部材３０の機能を兼ねることになる。すなわち、前記制御手段１５により、液体移送装置１０が備えるノズル２１が、ラミネートフィルム６０を押し延ばす変形工程を実施するように制御する。このとき、ノズル２１の先端である接触面２３がラミネートフィルム６０に接触している範囲が、接触範囲６１である。この接触面は緩やかなテーパを形成しているので、ラミネートフィルムとの接触面が鋭利ではなく、変形工程でラミネートフィルムを穿孔することはない。その他は、前記第１の態様と同様である。
【００４０】
ここで、ノズルの位置を微調整できる機構が設けられていれば、前記制御手段１５がその機構によりノズルがラミネートフィルムと接触する部位を移動させるよう制御することで、ノズルの面積以上に押し延ばし範囲を拡大させることもできる。たとえば、図１２に示すように、ノズル２１が最初にラミネートフィルム６０を押し延ばして、図１３のように一旦、押し延ばし範囲６２を形成する。そしてこの押し延ばし範囲６２に対し、図１４のようにノズル２１の位置を移動させて再度押し延ばすことで、図１５のように押し延ばし範囲６２を拡大することができる。
【００４１】
（３）第３の態様
本開示における密閉容器の開封方法の第３の態様は、前記第１の態様の構成に加え、前記変形工程は、前記移送先端とは別に設けられた押圧部材によって実行される。
【００４２】
換言すると、前記押圧手段として、前記移送先端とは別の押圧部材が設けられている。
【００４３】
すなわち、前記変形工程を、溶液の移送には関与しない、前記押圧手段としての専用の押圧部材によって実行させることもできる。押圧部材を移送先端とは独立させることで、移送先端に対する変形工程による機械的な負担を免じることができる。押圧部材については、ラミネートフィルムに穿孔しないように、ラミネートフィルムとの接触面が鋭利ではない形状の部材が用いられる。
【００４４】
図１６〜図１９に、前記押圧手段としての押圧部材３０のバリエーションを示す。押圧部材３０の接触面３３は、図１６に示すように平坦面であってもよいし、また、図１７に示すように接触方向に凸な曲面であってもよい。また、前記図６に示したように、接触方向へ緩やかなテーパを形成していてもよい。さらには、ラミネートフィルムに接触する部分を、平坦面に形成しつつ、その周辺にＣ面（図１８参照）又はＲ面（図１７参照）による面取りを施してもよい。
【００４５】
（４）第４の態様
本開示における密閉容器の開封方法の第４の態様は、前記第１から第３までの何れかの態様の特徴に加え、前記変形工程の前、後又は同時に、前記ラミネートフィルムに仮孔を穿刺する仮穿刺工程を有する。
【００４６】
換言すると、前記押圧手段の先端に、前記ラミネートフィルムに仮孔を穿刺する仮穿刺部材が設けられている。
【００４７】
本開示においては、変形工程でラミネートフィルムに非可逆的な変形をもたらした後に、穿刺工程において移送先端がラミネートフィルムに挿入される。この挿入の際に、ラミネートフィルムは、移送先端により穿刺されるが、この穿刺を容易にするために、穿刺工程の前に、仮穿刺工程においてラミネートフィルムに仮孔が空けられる。
【００４８】
ラミネートフィルムに仮孔を空ける場合、ラミネートフィルムを押し延ばすのは、仮孔を空ける前、仮孔を空けると同時、又は、仮孔を空けた後のいずれでもよい。ただし、操作手順を簡略化する観点からは、仮孔を空けると同時にラミネートフィルムを押し延ばすことが好ましい。
【００４９】
ここで、たとえば、ピペットチップが装着される前のノズルの先端に鋭利な突起構造を設け、これによってノズルによってラミネートフィルムを押し延ばすとと同時に仮孔を空けてもよい。また、ノズルとは別に、鋭利な尖端を有する部材をラミネートフィルムに挿入する機構を設け、この機構により仮穿刺工程を実行させてもよい。
【００５０】
なお、密閉容器の開口部を、仮孔があらかじめ設けられたラミネートフィルムで封印することとしてもよい。このとき、仮孔の部分を、ラミネートフィルムよりは脆弱な構造の仮封印フィルムで封じておけば、密閉容器の開口部を密閉しつつ、仮孔を容易に空けることができる。
【００５１】
本態様を模式的に示した図２０〜図２４を参照しつつ、本態様を説明する。
【００５２】
前記図７に示したように、ラミネートフィルム６０に押し延ばし範囲６２が形成された状態から、前記制御手段１５（図３参照）により、図２０に示すように、鋭利な先端を有する仮穿刺部材４０が押し延ばし範囲６２を突き刺すよう制御することで、図２１に示すように、押し延ばし範囲６２の中に仮孔６３が形成される。この状態で、前記図８に示すように移送先端２０をラミネートフィルム６０に穿刺することで、穿刺範囲６４がより形成しやすくなっている。
【００５３】
さらに、図２２に示すように、変形工程を実施する前に、仮穿刺部材４０でラミネートフィルム６０に仮孔６３を穿孔することとしてもよい。
【００５４】
なお、図２３に示すように、ラミネートフィルム６０には、脆弱な構造の仮封印フィルム６６で閉塞された仮孔６３をあらかじめ形成しておけば、単に押圧部材３０又はノズル２１で押し延ばすだけで、仮孔６３を押し延ばし範囲６２と同時に形成することができる。
【００５５】
また、図２４に示すように、接触面２３から鋭利な仮穿刺突起２４が突設されたノズル２１でラミネートフィルム６０を押し延ばすことで、押し延ばし範囲６２と同時に仮孔を形成することもできる。すなわち、接触面２３は、緩やかなテーパを形成しているので、ラミネートフィルムとの接触面が鋭利ではなく、変形工程でラミネートフィルム６０を穿孔することはない。一方、仮穿刺突起２４は上述のように鋭利な形状でありこれによりラミネートフィルム６０が穿孔される。よって、この図２４に示した形状のノズル２１によって、圧延範囲６２を形成しつつ仮孔６３を穿孔することができる
【００５６】
この図２４に示すノズル２１のより詳細な形状は、図２５の正面図及び図２６の斜視図に示す通りである。すなわち、このノズル２１は、円柱状の先端部２５と、この先端部２５より縮径した後端部２６と、これら先端部２５及び後端部２６の間に介在する中間部２７とを有している。
【００５７】
先端部２５の側面には周方向に２箇所の溝部２５Ａが形成されている。また、溝部２５Ａより先端寄りの位置に、正面側から背面側までを貫通する通気口２５Ｂが穿設されている。この通気口２５Ｂは、後端部２６の後端から穿設される通気路２６Ａ（図２６参照）と連絡している。また、先端部２５の先端はテーパ状に縮径した接触面２３となっていて、さらにその先端からは先端がテーパ状に縮径したより小径の円柱状の仮穿刺突起２４が突設されている。
【００５８】
中間部２７は、先端部より大径の短円柱形状であって、正面側及び背面側が平面状に削ぎ落とされた形状を呈している。
【００５９】
後端部２６は、液体移送装置１０（図１参照）が備える移動機構側に接続される部分である。なお、この移動機構によってこのノズル２１は、試薬パックとしての密閉容器５０が装着された液体移送装置１０（図１参照）の内部で、密閉容器５０の天板５１Ａ（図４参照）に沿った長手方向（左右方向）と、この左右方向に対する鉛直方向である上下方向に移動可能となっている。
【００６０】
また、このノズル２１には、液体５５の移送の際に、図２７の正面図に示す形状のピペットチップ２２が装着される。すなわち、このピペットチップ２２は、先端に向かって徐々に縮径する略円錐形状を呈する。最も小径の部分である最先端の先端開口２２Ａからは、液体の吸入及び排出が行われる。最も大形の部分である最後端の後端開口２２Ｂからは、ノズル２１の先端部２５が圧入される。
【００６１】
このピペットチップ２２は、液体移送装置１０の内部に複数本収容され、密閉容器５０間の液体５５の移送の際には、ノズル２１の先端が圧入された状態で装着される。
【実施例】
【００６２】
（１）ノズル、ピペットチップ、ラミネートフィルム
実施例及び比較例では図２５及び図２６に示すノズル２１を使用した。このノズル２１の先端部２５の外径は６．５ｍｍで、仮穿刺突起２４の外径は２．０ｍｍであった。
【００６３】
また、このノズル２１を用いた液体５５の移送の際には、図２７に示すピペットチップ２２が先端部２５に装着された。このピペットチップ２２の後端開口２２Ｂの内径は６．０ｍｍであった。
【００６４】
また、このノズル２１を用いてラミネートフィルム６０の変形が行われる密閉容器５０（図９参照）の短辺の幅は９．２ｍｍであった。
【００６５】
ラミネートフィルム６０は、１２μｍ厚のポリエチレンテレフタレート（ＰＥＴ）層、７μｍ厚のアルミニウム層及び３０μｍ厚の無延伸ポリプロピレン（ＣＰＰ）層の三層構造のものを使用した。なお、ＰＥＴ層で使用されたポリエチレンテレフタレートは、流れ方向（ＭＤ）の破断伸びが１００％で弾性率が３，９２０ＭＰａであり、垂直方向（ＴＤ）の破断伸びが９０％で弾性率が４，０２０ＭＰａであった。また、アルミニウム層で使用されたアルミニウムは、流れ方向（ＭＤ）及び垂直方向（ＴＤ）の破断伸びがともに１．２％であり、弾性率がともに７０ＭＰａであった。さらに、ＣＰＰ層で使用された無延伸ポリプロピレンは、流れ方向（ＭＤ）の破断伸びが６３０％で弾性率が８５０ＭＰａであり、垂直方向（ＴＤ）の破断伸びが８３５％で弾性率が８４０ＭＰａであった。
【００６６】
（２）実施例
実施例では、以下の工程１〜８を順に実行した。
【００６７】
工程１として、液体移送装置１０に、試薬パックとしての密閉容器５０をセットした。
【００６８】
工程２として、ノズル２１を左右方向へ移動させ、開封する密閉容器５０の上方まで移動させた。
【００６９】
工程３として、仮穿刺突起２４の先端がラミネートフィルム６０の上面から３ｍｍ下の位置に来るまでノズル２１を下降させ、仮孔６３を穿孔した（仮穿刺工程）。
【００７０】
工程４として、ノズル２１を一旦上昇させてから、再び下降させて、仮穿刺突起２４を仮孔６３に挿入させた状態で、仮穿刺突起２４の先端がラミネートフィルム６０の上面から７ｍｍ下の位置に来るまでノズルを下降させ、接触面２３でラミネートフィルム６０を押し延ばした（変形工程）。この変形工程により、直径約７．０ｍｍの押し延ばし範囲６２が、ラミネートフィルム６０に形成された。
【００７１】
工程５として、ノズル２１を上昇させて、ピペットチップ２２を装着してから、ピペットチップ２２で別のウェルにある試薬を吸引した。
【００７２】
工程６として、ノズル２１を下降させて、ピペットチップ２２の先端を仮孔６３に挿入し、さらにラミネートフィルム６０の上面から２２．４５ｍｍ下の位置まで下降させてラミネートフィルム６０を開封した（穿刺工程）。
【００７３】
工程７として、ピペットチップ２２に吸入した試薬の一部を密閉容器５０のウェル５２内へ排出し、ピペットチップ２２の先端が排出した試薬に付着しないようにノズル２１を一定距離だけ、上昇させた。その後、残りの試薬を全量排出した。
【００７４】
（３）比較例１
比較例１では、前記工程３及び工程４以外の工程を順に実行した。すなわち、比較例１では、仮穿刺工程及び変形工程を実行せずに、前記工程６では仮孔６３が穿孔されていないラミネートフィルム６０に対してピペットチップ２２での穿刺工程を実行した。
【００７５】
（４）比較例２
比較例２では、上記工程４以外の工程を順に実行した。すなわち、比較例２では、仮穿刺工程は実行するが変形工程は実行せずに、前記工程６で仮孔６３が穿孔されているが押し延ばし範囲６２は形成されていないラミネートフィルム６０に対してピペットチップ２２での穿刺工程を実行した。
【００７６】
（５）圧力変動測定
前記工程７におけるノズル２１からの圧力変動を、ノズル２１と液体移送装置１０内のポンプ（図示せず）を接続する配管の途中に設けた圧力センサ（ピエゾ抵抗型半導体圧力センサ、図示せず）で測定した。その結果を、図２８に示す。なお、図２８の横軸における「計測開始後の経過時間（秒）」とは、前記工程１で密閉容器５０をセットしてからの経過時間を示している。さらに、図中「Ａ」の時点で前記工程７の試薬の排出が開始され、図中「Ｂ」の時点でノズル２１を一定距離だけ上昇させている。また、図中の縦軸は、圧力センサの出力値（Ｖ）を示す。
【００７７】
まず、仮穿刺工程と変形工程とを同時に実行した実施例においては、図中「Ｂ」の時点のノズル２１の上昇により、圧力が低下した。これは、ノズル２１の上昇により、ピペットチップ２２とラミネートフィルム６０の断縁６５との間に隙間ができていることを意味する。この実施例では、図中「Ｃ」の時点で試薬の全量の排出が完了しており、圧力が動作前の状態に戻っていたことが確認できる。
【００７８】
一方、仮穿刺工程も変形工程も実行されなかった比較例１においては、図中「Ｂ」の時点のピペットチップ２２上昇後、一時的に僅かな圧力低下が見られた。しかし、ラミネートフィルム６０の形状追従性により再び断縁６５がピペットチップ２２に密着し、密閉容器５０の中が密閉空間となることで、内圧が高いまま、初期状態に戻らず、試薬全量の吐出は完了しなかった。
【００７９】
なお、仮穿刺工程は行ったが変形工程は実行されなかった比較例２においては、図中「Ｂ」の時点のピペットチップ２２上昇後、一時的に僅かな圧力低下が見られた。しかし、ラミネートフィルム６０の形状追従性により再び断縁６５がピペットチップ２２に密着し、密閉容器５０の中が密閉空間となることで、比較例１ほどではないが内圧が高いまま、初期状態に戻らず、試薬全量の吐出はやはり完了しなかった。
【００８０】
以上の結果より、ウェル５２を覆うラミネートフィルム６０には空気孔がないため、図中において圧力が高くなっている状態においては、密閉容器５０内が密封状態になっており、それにより密閉容器５０への液体５５の注入又は密閉容器からの液体の吸引は実施不能と判断された。
【００８１】
また、仮孔６３を空けていた比較例２においても、密閉容器５０内の圧力が余り低下しなかった。このことから、穿刺工程前に行う工程としては、仮穿刺工程よりも変形工程の方が、ラミネートフィルム６０の断縁６５がピペットチップ２２の先端と密着するのを防ぐにはより効果的であることが明らかとなった。
【００８２】
以上より、穿刺工程前に、ラミネートフィルムを押し延ばす変形工程を実行することにより、ラミネートフィルムを構成する素材が非可逆的な塑性変形を起こすことで、ピペットチップの表面に密着しているラミネートフィルムの形状追従性が低下する。
【産業上の利用可能性】
【００８３】
本発明は、ラミネートフィルムで密閉された密閉容器を用いた各種測定の際に用いられる測定機器に利用可能である。
【符号の説明】
【００８４】
１０  液体移送装置
１５  制御手段
２０  移送先端
２１  ノズル
２２  ピペットチップ
２２Ａ  先端開口
２２Ｂ  後端開口
２３  接触面
２４  仮穿刺突起
２５  先端部
２５Ａ  溝部
２５Ｂ  通気口
２６  後端部
２６Ａ  通気路
２７  中間部
３０  押圧部材
３３  接触面
４０  仮穿刺部材
５０  密閉容器
５１  枠体
５１Ａ  天板
５１Ｂ  側板
５２  ウェル
５２Ａ  測定ウェル
５５  液体
６０  ラミネートフィルム
６１  接触範囲
６２  押し延ばし範囲
６３  仮孔
６４  穿刺範囲
６５  断縁
６６  仮封印フィルム
【図１】
2019191054.tif 000003
【図２】
2019191054.tif 000004
【図３】
2019191054.tif 000005
【図４】
2019191054.tif 000006
【図５】
2019191054.tif 000007
【図６】
2019191054.tif 000008
【図７】
2019191054.tif 000009
【図８】
2019191054.tif 000010
【図９】
2019191054.tif 000011
【図１０】
2019191054.tif 000012
【図１１】
2019191054.tif 000013
【図１２】
2019191054.tif 000014
【図１３】
2019191054.tif 000015
【図１４】
2019191054.tif 000016
【図１５】
2019191054.tif 000017
【図１６】
2019191054.tif 000018
【図１７】
2019191054.tif 000019
【図１８】
2019191054.tif 000020
【図１９】
2019191054.tif 000021
【図２０】
2019191054.tif 000022
【図２１】
2019191054.tif 000023
【図２２】
2019191054.tif 000024
【図２３】
2019191054.tif 000025
【図２４】
2019191054.tif 000026
【図２５】
2019191054.tif 000027
【図２６】
2019191054.tif 000028
【図２７】
2019191054.tif 000029
【図２８】
2019191054.tif 000030